(57)【要約】【課題】管理対象の管理属性を新たに定義・再定義する作業の作業効率を向上でき、ヒューマンエラー発生を防止できる図面管理システムおよび図面管理方法を提供する。【解決手段】表示機能４２はラスターデータであるイメージとベクターデータであるシンボルをディスプレイ装置２に重ねて表示する。管理属性についての指示指令が入力され、線分定義が選択されると、この線分定義によるオブジェクトが描画され、表示機能４２はイメージ上の管理対象に重ねてオブジェクトをディスプレイ２装置に表示する。この制御が繰り返され、色分図が作成される。オブジェクトが描画される過程において、関連付け機能４５は、オブジェクトの軌跡がシンボルの座標位置近傍を通過すると、第１属性情報（管理対象のシンボル座標含む）と第２属性情報（管理属性含む）とを関連付けする。一覧表作成機能４６は一覧表を作成する。【選択図】図１
2011145965.tif 000002
【特許請求の範囲】
【請求項１】
入力装置と、ディスプレイ装置と、記憶装置と、入力装置からの指令に基づき記憶装置に記憶されているデータを読み込みディスプレイ装置に表示する制御装置を備え、
前記記憶装置は、
紙図面をスキャニングしたラスターデータであるイメージを記憶する第１記憶部と、
前記イメージ上の管理対象に対応するベクターデータであるシンボルと、このシンボルの座標情報を含み、シンボルに付加される第１属性情報を記憶する第２記憶部とを有し、
前記制御装置は、
前記イメージをディスプレイ装置に表示するイメージ表示機能と、
前記イメージ上の管理対象に対応するシンボルを表示するシンボル表示機能とを有する
図面管理システムにおいて、
前記記憶装置は、更に、線分定義データを記憶する第３記憶部を有し、
前記制御装置は、
前記入力装置からの前記管理対象の管理属性についての指示指令に基づいて、管理属性を含む第２属性情報に対応する線分定義を選択する線分定義選択機能と、
前記入力装置からのオブジェクト入力指令に基づいて、前記選択した線分定義によりオブジェクトを入力し、このオブジェクトを前記イメージ上の管理対象に重ねてディスプレイ装置に表示するオブジェクト表示機能と、
前記オブジェクトの入力に基づいて、第１属性情報と第２属性情報とを関連付けする関連付け機能と、
前記管理属性を第１属性情報に追加して前記第２記憶部に記憶する追加記憶機能とを有する
ことを特徴とする図面管理システム。
【請求項２】
請求項１記載の図面管理システムにおいて、
前記制御装置のオブジェクト表示機能は、前記入力装置からのオブジェクト描画指令に基づいて、オブジェクトを描画するものであり、
前記制御装置の関連付け機能は、前記オブジェクト描画の軌跡が、前記シンボルの座標位置またはその近傍を通過すると、第１属性情報と第２属性情報とを関連付けする
ことを特徴とする図面管理システム。
【請求項３】
請求項１記載の図面管理システムにおいて、
前記制御装置は、
管理対象と管理属性の関連付けの一覧表を作成する一覧表作成機能と、
この一覧表を前記ディスプレイ装置に表示する一覧表表示機能とを有する
ことを特徴とする図面管理システム。
【請求項４】
請求項１記載の図面管理システムにおいて、
更に印刷装置を備え、
前記制御装置は、
管理対象と管理属性の関連付けの一覧表を作成する一覧表作成機能と、
この一覧表を前記印刷装置に出力する一覧表印刷機能とを有する
ことを特徴とする図面管理システム。
【請求項５】
請求項１記載の図面管理システムにおいて、
更に印刷装置を備え、
前記制御装置は、前記ラスターデータ上の管理対象に重ねてディスプレイ装置に表示されたオブジェクトにより作成される管理属性区分図を前記印刷装置に出力する図面印刷機能を有する
ことを特徴とする図面管理システム。
【請求項６】
請求項１記載の図面管理システムにおいて、
前記制御装置は、第１属性情報と第２属性情報との関連付けがされると、前記管理属性を前記シンボル近傍に表示する添字表示機能を有する
ことを特徴とする図面管理システム。
【請求項７】
請求項１記載の図面管理システムにおいて、
前記記憶装置は、更に、前記イメージ上の管理対象に重ねてディスプレイ装置に表示されるオブジェクトとこのオブジェクトに対応する管理属性とを含む第２属性情報を記憶する第４記憶部を有する
ことを特徴とする図面管理システム。
【請求項８】
請求項１記載の図面管理システムにおいて、
前記制御装置の線分定義選択機能は、前記入力装置からの前記管理対象の管理属性についての新たな指示指令に基づいて、管理属性に対応する新たな線分定義を選択でき、
前記制御装置のオブジェクト表示機能は、新たな線分定義が選択されると、この新たに選択した線分定義によりオブジェクトを書換え、ディスプレイ装置に表示する
ことを特徴とする図面管理システム。
【請求項９】
入力装置と、ディスプレイ装置と、記憶装置と、入力装置からの指令に基づき記憶装置に記憶されているデータを読み込みディスプレイ装置に表示する制御装置を備えた図面管理システムの図面管理方法において、
前記制御装置は、
前記記憶装置から紙図面をスキャニングしたラスターデータであるイメージを読み込み、前記ディスプレイ装置に表示し、
前記記憶装置から前記イメージ上の管理対象に対応するベクターデータであるシンボルと、このシンボルの座標情報を含みシンボルに付加される第１属性情報を読み込み、前記イメージ上の管理対象に対応する座標に前記管理対象のシンボルを前記ディスプレイ装置に表示し、
前記入力装置から前記管理対象の管理属性についての指示指令を入力し、
前記記憶装置から線分定義データを読み込み、前記入力装置から選択指令を入力し、管理属性を含む第２属性情報に対応する線分定義を選択し、
前記入力装置からオブジェクト入力指令を入力し、前記選択した線分定義によりオブジェクトを入力し、このオブジェクトを前記ラスターデータ上の管理対象に重ねてディスプレイ装置に表示し、
前記オブジェクトの入力に基づいて、第１属性情報と第２属性情報とを関連付けし、
前記管理属性を第１属性情報に追加して前記記憶装置に記憶する
ことを特徴とする図面管理方法。
【請求項１０】
請求項９記載の図面管理方法において、
前記オブジェクトの入力は、前記入力装置からのオブジェクト描画指令に基づいて、オブジェクトを描画するものであり、
前記関連付けは、前記オブジェクト描画の軌跡が、前記シンボルの座標位置またはその近傍を通過すると、第１属性情報と第２属性情報とを関連付けるものである
ことを特徴とする図面管理システム。
【請求項１１】
請求項９記載の図面管理方法において、
前記制御装置は、更に、前記イメージ上の管理対象に重ねてディスプレイ装置に表示されるオブジェクトとこのオブジェクトに対応する管理属性とを含む第２属性情報を前記記憶装置に記憶する
ことを特徴とする図面管理方法。
【発明の詳細な説明】
【技術分野】
【０００１】
本発明は、紙面に書かれた図面を電子情報として管理する図面管理システムおよび図面管理方法に係り、特に図面情報と属性情報とを関連付ける図面管理システムおよび図面管理方法に関するものである。
【背景技術】
【０００２】
プラントの配管部品の点検の計画や点検実績の管理を行う場合、技術規格の改訂あると、今回点検する範囲、点検の頻度、管理ランク等の管理属性を新たに定義する必要がある。また、プラントの運転状態の変更によっては、一度定義した管理属性を見直す必要がある場合がある。
【０００３】
ところで既存のプラントの図面は、電子化されておらず、紙面に書かれているものも多い。このように電子化されていない場合、例えば管理ランク毎に色を定義し、紙図面上の管理対象（点検箇所）のルートに重ねて管理ランクに対応する色の蛍光ペンを塗り、いわゆる色分図を作成するとともに、表計算ソフトなどを用いて、管理対象と管理ランクとの一覧表を作成する方法が一般的である。
【０００４】
しかし、このような手作業は作業効率が悪く、また作業結果である色分図も紙図面となり保存し管理する手間もかかるという課題があった。また、一覧表を作成する際は、色分図から管理対象および管理ランクを再度抽出し、表計算ソフトに手入力する方法が一般的であり、手入力の際にヒューマンエラー発生の可能性があるという課題があった。
【０００５】
上記課題を解決する為に、紙面に書かれた図面を電子情報として管理することが望まれている。特許文献1において、紙面に書かれた図面を電子情報として管理（電子化）する従来技術が提案されている。
【０００６】
特許文献1の従来技術は、ラスターデータを電子化する際の電子化作業の精度向上と、作業効率の向上をはかることを目的とし、紙面に書かれた図面をスキャンしてラスターデータであるイメージを取得し、ディスプレイ装置に背景画像として表示し、この背景画像に示される表の記載に関して新たに入力される表の記載情報を取得して、新たに入力された表の記載情報を前景画像として表示し、背景画像に示される図形上の管理対象の座標位置に貼り付けられる任意形状のベクターデータからなるデジタルタグ（後述するシンボルに相当）を識別可能なデジタルタグ識別情報を付して発行し、背景画像に示される図形にデジタルタグを貼り付け、テジタルタグを前景画像として表示し、前景画像に表示される表の記載情報とデジタルタグとをデジタルタグ識別情報に基づいて関連付けることにより、紙面に書かれた図面を電子情報として管理している。
【０００７】
「ラスターデータ」とは、格子状（グリッド）に並んだピクセル（画素）の集合体で表されるデータをいう。ピクセルの集合体であるため、隣のピクセルとの関係や、全体が何を示しているか等の情報は持たない。ラスターデータは、画像データやイメージと呼ばれることもある。
【０００８】
また、「電子化」とは、ラスターデータをベクターデータに変換することをいう。
【０００９】
「ベクターデータ」とは、線の起終点の座標（位置）、曲線であれば曲がり方、太さ、色、線に囲まれた面の色、変化の仕方などを記号または数値で表し、コンピュータで扱いやすいデータで表現したものである。さらに、ベクターデータは、コンピュータでは１つの集合体として扱うことができ、属性情報などを付加することが可能である。
【００１０】
「属性情報」とは、名称やそのデータが何を表すか、などの情報を示す。属性情報の種類、量については、特に制限はない。
【００１１】
紙面に書かれた図面を電子情報として管理する従来技術として、他に特許文献２、特許文献３の従来技術が提案されている。
【先行技術文献】
【特許文献】
【００１２】
【特許文献１】特開２００９−１１６３９９号公報
【特許文献２】特開平６−２７４５５７号公報
【特許文献３】特開平４−３２９０１８号公報
【発明の概要】
【発明が解決しようとする課題】
【００１３】
特許文献1の従来技術は、ラスターデータであるイメージに重ねてベクターデータであるシンボル（デジタルタグ）を表示し、シンボルに属性情報を付加することにより、電子化作業の精度向上と、作業効率の向上をはかることができる。
【００１４】
しかし、特許文献1の従来技術は、既存の紙面に書かれた図面を電子化するものであって、管理ランク等の管理属性を新たに定義したり、一度定義した管理属性を再定義するものではない。紙面に書かれた図面上の管理対象の管理属性を新たに定義したり再定義する作業に、特許文献1の従来技術を適用しようとする場合、新たな構成を付加する必要がある。
【００１５】
なお、特許文献２の従来技術は、図面の属性情報の検索について省力化を行うものであって、属性情報の入力（属性の定義）の作業効率を向上させるものではない。また、特許文献３の従来技術は、属性情報の表示を制御するものであり、属性情報の入力（属性の定義）の作業効率を向上させるものではない。
【００１６】
本発明の目的は、管理対象の管理属性を新たに定義・再定義する作業の作業効率を向上でき、ヒューマンエラー発生を防止できる図面管理システムおよび図面管理方法を提供することである。
【課題を解決するための手段】
【００１７】
（１）上記目的を達成するために、本発明は、入力装置と、ディスプレイ装置と、記憶装置と、入力装置からの指令に基づき記憶装置に記憶されているデータを読み込みディスプレイ装置に表示する制御装置を備え、前記記憶装置は、紙図面をスキャニングしたラスターデータであるイメージを記憶する第１記憶部と、前記イメージ上の管理対象に対応するベクターデータであるシンボルと、このシンボルの座標情報を含み、シンボルに付加される第１属性情報を記憶する第２記憶部とを有し、前記制御装置は、前記イメージをディスプレイ装置に表示するイメージ表示機能と、前記イメージ上の管理対象に対応するシンボルを表示するシンボル表示機能とを有する図面管理システムにおいて、前記記憶装置は、更に、線分定義データを記憶する第３記憶部を有し、前記制御装置は、前記入力装置からの前記管理対象の管理属性についての指示指令に基づいて、管理属性を含む第２属性情報に対応する線分定義を選択する線分定義選択機能と、前記入力装置からのオブジェクト入力指令に基づいて、前記選択した線分定義によりオブジェクトを入力し、このオブジェクトを前記イメージ上の管理対象に重ねてディスプレイ装置に表示するオブジェクト表示機能と、前記オブジェクトの入力に基づいて、第１属性情報と第２属性情報とを関連付けする関連付け機能と、前記管理属性を第１属性情報に追加して前記第２記憶部に記憶する追加記憶機能とを有するものとする。
【００１８】
このように構成した本発明においては、オブジェクト表示機能が、入力装置からのオブジェクト入力指令に基づいて、選択した線分定義によりオブジェクトを入力し、このオブジェクトをイメージ上の管理対象に重ねてディスプレイ装置に表示することにより、色分図（管理属性区分図）を容易に効率よく作成できる。
【００１９】
更に、関連付け機能が、オブジェクトの入力に基づいて、第１属性情報と第２属性情報とを関連付けするので、色分図を作成すると管理対象と管理属性とが自動的に関連付けされる。これにより、関連付けに係る作業効率を向上でき、その結果、管理対象の管理属性を新たに定義する作業の作業効率を向上できる。また、自動的に関連付けされるため、ヒューマンエラー発生を防止できる。
【００２０】
（２）上記（１）において、好ましくは、前記制御装置のオブジェクト表示機能は、前記入力装置からのオブジェクト描画指令に基づいて、オブジェクトを描画するものであり、前記制御装置の関連付け機能は、前記オブジェクト描画の軌跡が、前記シンボルの座標位置またはその近傍を通過すると、第１属性情報と第２属性情報とを関連付けする。
【００２１】
このように、オブジェクトを描画することにより、オブジェクトを入力できる。また、オブジェクト描画の軌跡とシンボルの座標の位置関係に基づいて、第１属性情報と第２属性情報とを関連付けすることができる。
【００２２】
（３）上記（１）において、好ましくは、前記制御装置は、管理対象と管理属性の関連付けの一覧表を作成する一覧表作成機能と、この一覧表を前記ディスプレイ装置に表示する一覧表表示機能とを有する。
【００２３】
これにより、管理対象と管理属性の関連付けの一覧表を作成することができ、作業者は一覧表をディスプレイ上で確認することができる。
【００２４】
（４）上記（１）において、好ましくは、更に印刷装置を備え、前記制御装置は、管理対象と管理属性の関連付けの一覧表を作成する一覧表作成機能と、この一覧表を前記印刷装置に出力する一覧表印刷機能とを有する。
【００２５】
これにより、管理対象と管理属性の関連付けの一覧表を作成することができ、作業者は一覧表を印刷した紙面上で確認することができる。
【００２６】
（５）上記（１）において、好ましくは、更に印刷装置を備え、前記制御装置は、前記ラスターデータ上の管理対象に重ねてディスプレイ装置に表示されたオブジェクトにより作成される管理属性区分図を前記印刷装置に出力する図面印刷機能を有する。
【００２７】
これにより、管作業者は紙図面の管理属性区分図を得ることができる。
【００２８】
（６）上記（１）において、好ましくは、記制御装置は、第１属性情報と第２属性情報との関連付けがされると、前記管理属性を前記シンボル近傍に表示する添字表示機能を有する。
【００２９】
これにより、関連付け機能が第１属性情報と第２属性情報とを関連付けした結果を、作業者はディスプレイ上で確認することができる。その結果として、ヒューマンエラー発生を防止できる。
【００３０】
（７）上記（１）において、好ましくは、前記記憶装置は、更に、前記イメージ上の管理対象に重ねてディスプレイ装置に表示されるオブジェクトとこのオブジェクトに対応する管理属性とを含む第２属性情報を記憶する第４記憶部を有する。
【００３１】
これにより、第１属性情報と第２属性情報とを別の情報とし管理できる。例えば、別レイヤーにおいて表示できる。
【００３２】
（８）上記（１）において、好ましくは、前記制御装置の線分定義選択機能は、前記入力装置からの前記管理対象の管理属性についての新たな指示指令に基づいて、管理属性に対応する新たな線分定義を選択でき、前記制御装置のオブジェクト表示機能は、新たな線分定義が選択されると、この新たに選択した線分定義によりオブジェクトを書換え、ディスプレイ装置に表示する。
【００３３】
これにより、管理属性の変更にも容易に対応でき、管理対象の管理属性を新たに再定義する作業の作業効率を向上できる。
【００３４】
（９）上記目的を達成するために、本発明は、入力装置と、ディスプレイ装置と、記憶装置と、入力装置からの指令に基づき記憶装置に記憶されているデータを読み込みディスプレイ装置に表示する制御装置を備えた図面管理システムの図面管理方法において、前記制御装置は、前記記憶装置から紙図面をスキャニングしたラスターデータであるイメージを読み込み、前記ディスプレイ装置に表示し、前記記憶装置から前記イメージ上の管理対象に対応するベクターデータであるシンボルと、このシンボルの座標情報を含みシンボルに付加される第１属性情報を読み込み、前記イメージ上の管理対象に対応する座標に前記管理対象のシンボルを前記ディスプレイ装置に表示し、前記入力装置から前記管理対象の管理属性についての指示指令を入力し、前記記憶装置から線分定義データを読み込み、前記入力装置から選択指令を入力し、管理属性を含む第２属性情報に対応する線分定義を選択し、前記入力装置からオブジェクト入力指令を入力し、前記選択した線分定義によりオブジェクトを入力し、このオブジェクトを前記ラスターデータ上の管理対象に重ねてディスプレイ装置に表示し、前記オブジェクトの入力に基づいて、第１属性情報と第２属性情報とを関連付けし、前記管理属性を第１属性情報に追加して前記記憶装置に記憶する。
【００３５】
このように構成した本発明においては、色分図（管理属性区分図）を容易に効率よく作成でき、色分図を作成すると管理対象と管理属性とが自動的に関連付けされる。これにより、関連付けに係る作業効率を向上でき、その結果、管理対象の管理属性を新たに定義する作業の作業効率を向上できる。また、自動的に関連付けされるため、ヒューマンエラー発生を防止できる。
【００３６】
（１０）上記（９）において、好ましくは、前記オブジェクトの入力は、前記入力装置からのオブジェクト描画指令に基づいて、オブジェクトを描画するものであり、前記関連付けは、前記オブジェクト描画の軌跡が、前記シンボルの座標位置またはその近傍を通過すると、第１属性情報と第２属性情報とを関連付けるものである。
【００３７】
これにより、オブジェクトを入力でき、オブジェクト描画の軌跡とシンボルの座標の位置関係に基づいて、第１属性情報と第２属性情報とを関連付けすることができる。
【００３８】
（１１）上記（９）において、好ましくは、更に、前記イメージ上の管理対象に重ねてディスプレイ装置に表示されるオブジェクトとこのオブジェクトに対応する管理属性とを含む第２属性情報を前記記憶装置に記憶する。
【００３９】
これにより、第１属性情報と第２属性情報とを別の情報とし管理できる。
【発明の効果】
【００４０】
本発明によれば、管理対象の管理属性を新たに定義・再定義する作業の作業効率を向上でき、ヒューマンエラー発生を防止できる。
【図面の簡単な説明】
【００４１】
【図１】本発明の第１実施形態に係る図面管理システムの構成および制御装置の機能ブロック図である。
【図２】制御装置の処理ステップを示すフローである。
【図３】管理属性入力テーブルの一例を示したものである。
【図４】線分定義データテーブルの一例を示したものである。
【図５】関連付けテーブルの一例を示したものである。
【図６】オブジェクトテーブルの一例を示したものである。
【図７】一覧表の一例を示したものである。
【発明を実施するための形態】
【００４２】
＜第１実施形態＞
〜構成〜
図１は、本発明の第１実施形態に係る図面管理システムの構成および制御装置の機能ブロック図である。本実施形態の特徴的な構成は、点線で囲まれている。本実施形態に係る図面管理システムは、入力装置１と、ディスプレイ装置２と、記憶装置３と、制御装置４と、印刷装置５とを備えている。
【００４３】
入力装置１は例えばマウスやキーボードまたはタッチ式パネルおよび入力ペンであり、作業者により入力された情報を制御装置４に入力する。ディスプレイ装置２は、例えば液晶ディスプレイであり、入力装置１または記憶装置３からの情報を制御装置４を介して表示する。
【００４４】
記憶装置３は、従来構成と共通する第１記憶部３１と第２記憶部３２とに加えて、本実施形態の特徴的な構成である第３記憶部３３と第４記憶部３４とを有している。第１記憶部３１は紙図面をスキャニングしたラスターデータであるイメージを記憶する。なお、図面管理システムはスキャン装置（図示省略）を備え、スキャン装置は紙図面をスキャニングし、これにより得られたイメージは制御装置４を介して記憶装置３の第１記憶部３１に予め記憶されている。第２記憶部３２はシンボルと、このシンボルに付加される第１属性情報とを記憶する。シンボルはイメージ上の管理対象に対応するベクターデータである。第１属性情報はこのシンボルの座標情報を含む。なお、イメージ（ラスターデータ）からシンボル（ベクターデータ）を作成する方法については後述する。
【００４５】
第３記憶部３３は、線分定義データを記憶する。線分定義データでは、複数の線分について線分の色、太さ、種類などが定義される。第４記憶部３４は、第２属性情報（後述するオブジェクトとこのオブジェクトに対応する管理属性とを含む）を記憶する。
【００４６】
制御装置４は、入力装置１からの指令に基づき記憶装置３に記憶されている諸データを読み込みディスプレイ装置２に表示したり、入力装置１からの指令に基づきディスプレイ装置２に表示されている画面データを印刷装置５に出力し印刷をするものであり、入力機能４１と、表示機能４２と、記憶・読込機能４３と、線分定義選択機能４４と、関連付け機能４５と、一覧表作成機能４６と、印刷機能４７を有している。入力機能４１と、表示機能４２と、記憶・読込機能４３と、印刷機能４７とは、従来構成と共通する制御装置４の一般的な機能である。線分定義選択機能４４と、関連付け機能４５と、一覧表作成機能４６と、これらの機能に伴う表示機能４２の一部の機能（４２ｃ，４２ｄ，４２ｅ）は、本実施形態の特徴的な構成である。
【００４７】
入力機能４１は入力装置１とのインターフェースとして機能し、入力装置１を介して作業者の指令を入力する。
【００４８】
表示機能４２は入力装置１または記憶装置３からの情報をディスプレイ２装置に出力し表示するものであり、イメージ表示機能４２ａと、シンボル表示機能４２ｂと、オブジェクト表示機能４２ｃと、添字表示機能４２ｄと、一覧表表示機能４２ｅとを有している。
【００４９】
イメージ表示機能４２ａは、第１記憶部３１に記憶されているライメージをディスプレイ２装置に表示する。シンボル表示機能４２ｂは、第２記憶部３２に記憶されている第１属性情報に基づいてイメージ上の管理対象に対応するシンボルをディスプレイ装置２に表示する。オブジェクト表示機能４２ｃは、入力装置を用いて描画されたオブジェクト（後述）をディスプレイ２装置に表示する。添字表示機能４２ｄは、シンボル近傍に管理属性（例えば管理ランク）をディスプレイ２装置に表示する。一覧表表示機能４２ｅは、一覧表（後述）をディスプレイ装置２に表示する。
【００５０】
記憶・読込機能４３は記憶装置３とのインターフェースとして機能し、記憶装置３から情報を読み込み、また記憶装置３に情報を記憶する。
【００５１】
線分定義選択機能４４は、第３記憶部３３に記憶されている複数の線分定義データを記憶・読込機能４３を介して読み込み、入力装置を用いて管理属性に対応する線分定義を選択する。
【００５２】
関連付け機能４５は、入力装置１を用いて描画されたオブジェクトの軌跡が、シンボルの座標位置またはその近傍を通過すると、第１属性情報（管理対象のシンボルに付加されている）と第２属性情報（管理属性を含む）とを関連付ける。具体的には、オブジェクトは入力装置１によりポインタで描画されるが、描画の過程でポインタがシンボルの座標位置またはその近傍を通過すると、関連付け機能４５が機能する。関連付け機能４５は本実施形態の本質的な構成であり、その動作について詳しく後述する。
【００５３】
一覧表作成機能４６は、第１属性情報と第２属性情報との関連付けがされると、すなわち、管理対象と管理属性との関連付けがされると、この関連付けに係る一覧表を作成する。
【００５４】
印刷機能４７は、印刷装置５とのインターフェースとして機能し、印刷装置５に情報を出力し印刷する。
【００５５】
印刷装置５は、入力装置１を介する作業者の指令に基づき、ディスプレイ装置２に表示されている色分図（後述）や一覧表のデータを印刷する。
【００５６】
〜制御〜
図２は、制御装置４の処理ステップを示すフローである。なお、ここでは、制御装置４内の処理を中心に説明し、作業者の動作を含む本実施形態に係る図面管理システムの全体の動作については後述する。
【００５７】
作業に先立って、制御装置４は、線分定義データを作成し、記憶・読込機能４３は記憶装置３の第３記憶部３３に線分定義データを記憶する（Ｓ１０）。線分定義データでは、複数の線分について線分の色、太さ、種類などが定義される。
【００５８】
以下作業中の制御装置４の処理ステップについて説明する。
【００５９】
制御装置４の入力機能４１は入力装置１から作業者の表示指令を入力し、表示指令に基づき、記憶・読込機能４３は記憶装置３の第１記憶部３１からイメージを読み込み、第２記憶部３２からシンボルおよび第１属性情報を読み込み、イメージ表示機能４２ａはイメージをディスプレイ２装置に表示し、シンボル表示機能４２ｂは、第１属性情報に基づきイメージ上の管理対象に対応するシンボルをディスプレイ装置２に表示する（Ｓ２０）。
【００６０】
入力機能４１は入力装置１から各管理属性について作業者の指示指令を入力する（Ｓ３０）。なお、この指示指令は一時的に記憶装置３のＲＡＭ（図示せず）に記憶してもよいし、第３記憶部３３に記憶してもよいし、第４記憶部３４に記憶してもよい。
【００６１】
各管理属性についての指示指令が入力されると、記憶・読込機能４３は記憶装置３の第３記憶部３３から線分定義データを読み込み、入力機能４１は入力装置１から複数の線分定義の中から管理属性に対応する線分定義を選択する作業者の選択指令を入力し、線分定義選択機能４４は各管理属性について対応する線分定義を選択する（Ｓ４０）。
【００６２】
線分定義が選択されると、入力機能４１は入力装置１から作業者の描画指令を入力し、描画指令に基づき、オブジェクト表示機能４２ｃは選択された線分定義によりオブジェクトをイメージ上の管理対象に重ねてディスプレイ２装置に表示する（Ｓ５０）。
【００６３】
オブジェクトが描画される過程において、関連付け機能４５は、入力装置１を用いて描画されたオブジェクトの軌跡の座標を検出し、第１属性情報に含まれる管理対象のシンボルの座標を検出し（Ｓ６０）、オブジェクトの軌跡がシンボルの座標位置またはその近傍を通過すると、第１属性情報と第２属性情報とを関連付けする。より詳細には、第１属性情報が付加される管理対象のシンボルまたは第１属性情報に含まれる管理対象名称と第２属性情報に含まれる管理属性とを関連付けする（Ｓ７０）。
【００６４】
関連付けがされると、記憶・読込機能４３は、管理属性を第１属性情報に追加して第２記憶部３２に記憶する（Ｓ８０）。また、オブジェクトとこのオブジェクトに対応する管理属性を構成する第２属性情報を第４記憶部３４に記憶する（Ｓ９０）。
【００６５】
制御装置４は、同一の管理属性に区分される他の管理対象について、処理ステップ（Ｓ５０〜９０）を繰り返し、更に他の管理属性に区分される管理対象について、処理ステップ（Ｓ４０〜９０）を繰り返し、管理属性区分図（色分図）をディスプレイ装置２に表示する。
【００６６】
色分図が作成されると、入力機能４１は入力装置１から作業者の印刷指令を入力し、印刷機能４７は印刷装置５に色分図に係る情報を出力し印刷する（Ｓ１００）。
【００６７】
同一の管理属性に区分される管理対象毎に管理属性毎に関連付けがされ（Ｓ５０〜９０）、さらに管理属性毎に関連付けがされる（Ｓ４０〜９０）と、一覧表作成機能４６は、この関連付けに係る一覧表を作成する。一覧表が作成されると、入力機能４１は入力装置１から作業者の印刷指令を入力し、印刷機能４７は印刷装置５に一覧表に係る情報を出力し印刷する（Ｓ１１０）。
【００６８】
〜動作〜
管理対象の管理属性が指示されたとき、作業者は本実施形態に係る図面管理システムを用いて、管理属性区分に係る色分図を作成し、一覧表を作成する。この一連の動作について、事前準備、色分図作成、一覧表作成、管理属性変更（再定義）の順に説明する。
【００６９】
事前準備に係る動作について説明する。
【００７０】
プラントで用いられる配管図面は、現在ではＣＡＤ（Computer Aided Design）等、コンピュータを用いて作成されることが多く、電子情報として残され、管理されている。しかしながら、過去に建設されたプラントの配管図面は、紙面に記載れている場合が多い。作業者は、スキャン装置を用いて紙図面をスキャニングする。これにより得られたラスターデータであるイメージは図面番号とともに記憶装置３に記憶される。
【００７１】
紙図面には、管理対象である配管ごとに、管理対象ＩＤ、配管形状、寸法、品名、材質、肉厚、接続対象配管などの属性情報が一覧表形式で記載されている。作業者が、スキャン装置を用いて紙図面をスキャニングすると、この一覧表もラスターデータとして記憶装置３に記憶される。
【００７２】
作業者は、ディスプレイ装置２にイメージを表示し、イメージ上の管理対象に対応する位置にシンボルを配置する。シンボルは、例えば、矢印付きの楕円図形データ（ベクターデータ）であり、矢印の先端が管理対象を示すように配置される。シンボルが配置されると、矢印先端の座標が、ラスターデータ上の管理対象の座標として検出され、この座標がシンボルの座標と認識される。
【００７３】
シンボルは属性情報入力テーブルがリンクされており、作業者は属性情報入力テーブルとラスターデータ形式の一覧表の両方をディスプレイ装置２に表示し、この一覧表を見ながら各属性情報を属性情報入力テーブルに入力する。なお、一覧表の文字をＯＣＲによって電子化し、電子化した文字情報を入力テーブルに入力しても良い。属性情報のうち管理対象ＩＤが、シンボルの楕円の中に表示される。属性情報入力テーブルに入力された一覧表の各属性情報およびシンボル矢印先端の座標は記憶装置３に記憶され、第1属性情報を構成する。なお、管理対象ＩＤとシンボル矢印先端の座標のみが第1属性情報を構成し、その他の属性情報は別の属性情報として第1属性情報とリンク付けされ、記憶装置３の別領域に記憶されていてもよい。
【００７４】
なお、ラスターデータであるイメージからベクターデータであるシンボル（特許文献１のデジタルタグに相当）および第1属性情報を作成する方法は、説明の便宜上簡略化してあるものの、特許文献１の従来技術の基本的な概念と共通する。
【００７５】
一方、線分定義データを予め作成しておく（Ｓ１０）。線分定義データは記憶装置３に記憶される。
【００７６】
色分図作成に係る動作について説明する。
【００７７】
プラントの配管部品の点検管理を行う場合、技術規格の改訂あると、管理属性を新たに定義する必要がある。たとえば、管理属性として管理ランクをランクＡとランクＢに区分する様に定義する。そして、管理対象である配管毎に色分けし、管理属性区分図（色分図）を作成する。
【００７８】
まず、作業者は、イメージおよびシンボルをディスプレイ装置２に表示したのち（Ｓ２０）、管理属性入力テーブルをディスプレイ装置２に表示する。図３は、管理属性入力テーブルの一例を示したものである。管理属性入力テーブルには、属性ＩＤと属性カテゴリと属性名称が記載されている。属性ＩＤは本システムが自動的に付番したＩＤ番号である。属性カテゴリとは、管理属性の総称であり、本実施形態では作業者が「管理ランク」と入力する。属性名称とは、属性カテゴリの項目であり、本実施形態では作業者が「ランクＡ」と「ランクＢ」と入力する。これにより、本システムにおいて管理属性が定義される（Ｓ３０）。管理ランク「ランクＡ」と「ランクＢ」は第２属性情報に含まれる。
【００７９】
次いで、作業者は線分定義データをディスプレイ装置２に表示し、表示された線分定義データの中から属性ＩＤ毎に対応する線分定義を選択する。線分定義データでは、複数の線分について線分の色、太さ、種類などが定義されているが、これらは任意に変更可能である。図４は、線分定義データテーブルの一例を示したものである。図３の管理属性入力テーブルでは、属性ＩＤ「００００１」は「ランクＡ」であり、図４の線分定義データテーブルでは、属性ＩＤ「００００１」は「赤」色の「１０ｐｔ」の太さの「実線」からなる線分である。すなわち、管理ランク「ランクＡ」に対応して「赤」「１０ｐｔ」「実線」の線分定義が選択される。同様に、管理ランク「ランクＢ」に対応して「ピンク」「５ｐｔ」「点線」の線分定義が選択される。これにより、本システムにおいて線分定義が選択される（Ｓ４０）。
【００８０】
管理対象（例えば点検箇所）の管理対象ＩＤ「ＡＡ‐０００１」の管理ランクが「ランクＡ」であるとき、作業者は、ラスターデータ上の管理対象（ＡＡ‐０００１に対応）に重ねてディスプレイ装置に表示するように、「赤」「１０ｐｔ」「実線」の線分定義により、オブジェクトを描画する。より具体的には、イメージ上の管理対象を代表する数ポイントがマウス（入力装置１）により選択され、ポイント同士が線分により結合されることにより、オブジェクトが描画される。なお、描画方法については、マウス（入力装置１）操作によるポインタがラスターデータ上の管理対象をなぞる様に移動することにより、オブジェクトが描画されてもよい。入力装置１がタッチ式パネルの入力ペンであるときは、ペン先がラスターデータ上の管理対象をなぞる様に移動することにより、オブジェクトが描画されてもよい。何れの描画方法においても、これによりオブジェクトがディスプレイ装置２に表示される（Ｓ５０）。
【００８１】
オブジェクトが描画される過程において、オブジェクトの軌跡が生じる。本システムは、管理対象ＩＤ「ＡＡ‐０００１」のシンボルの座標を検出し（Ｓ６０）、オブジェクト描画の軌跡がシンボルの座標近傍を通過すると、第１属性情報と第２属性情報とを関連付けする。図５は、関連付けテーブルの一例を示したものである。管理対象ＩＤ「ＡＡ‐０００１」に対応して属性ＩＤ「００００１」が入力される。図３の管理属性入力テーブルにおいて、属性ＩＤ「００００１」は「ランクＡ」と定義されており、その結果、管理対象ＩＤ「ＡＡ‐０００１」と管理ランク「ランクＡ」とが関連付けされる（Ｓ７０）。
【００８２】
関連付けテーブルは記憶装置３に記憶される。また、管理対象ＩＤ「ＡＡ‐０００１」の管理ランクが「ランクＡ」であるという属性情報が、第１属性情報に追記される（Ｓ８０）。
【００８３】
作業者が添字表示機能を設定している場合は、「ランクＡ」との添字が、管理対象ＩＤ「ＡＡ‐０００１」のシンボルの近傍に表示される。
【００８４】
図６はオブジェクトテーブルの一例を示したものである。オブジェクトテーブルには、オブジェクトＩＤと属性ＩＤとが記載されている。オブジェクトＩＤはオブジェクトを作成するとき本システムが自動的に付番するＩＤ番号であり、描画されたオブジェクトを識別する識別番号である。図５の関連付けテーブルにおいて、管理対象ＩＤ「ＡＡ‐０００１」に対応して属性ＩＤ「００００１」が入力されると、オブジェクトテーブルにおいてオブジェクトＩＤ「ＯＢＪ０００１」に対応して属性ＩＤ「００００１」が入力される。その結果、オブジェクトＩＤ「ＯＢＪ０００１」のオブジェクトが管理対象ＩＤ「ＡＡ‐０００１」に関連付けされる。
【００８５】
関連付けテーブルとオブジェクトテーブルとは、すなわちオブジェクトとこのオブジェクトに対応する管理ランクとは、第２属性情報を構成し、第２属性情報は、記憶装置３に記憶される（Ｓ９０）。
【００８６】
管理対象ＩＤ「ＡＡ‐０００１」に対応するオブジェクトを描画したのと同様に、管理ランク「ランクＡ」と区分される他の管理対象（管理対象ＩＤ「ＡＡ‐０００１」以外）についても、作業者は、ラスターデータ上の管理対象に重ねてディスプレイ装置に表示するように、「赤」「１０ｐｔ」「実線」の線分定義により、オブジェクトを描画し（Ｓ５０〜９０）、更に、管理ランク「ランクＢ」と区分される管理対象について、イメージ上の管理対象に重ねてディスプレイ装置に表示するように、「ピンク」「５ｐｔ」「点線」の線分定義により、オブジェクトを描画する（Ｓ４０〜９０）。これにより、管理属性区分図（色分図）がディスプレイ装置２に表示される（Ｓ１００）。作業者が色分図を紙図面として使用したい場合は、印刷装置５を用いて色分図を印刷する。
【００８７】
一覧表作成について説明する。
【００８８】
色分図作成の過程において、管理対象ＩＤ「ＡＡ‐０００１」と管理ランク「ランクＡ」とが関連付けされ、さらに他の管理対象ＩＤと管理ランクとが関連付けされ、各管理対象ＩＤごとに関連付けをする結果、自動的に一覧表が作成される。作業者は、選択により一覧表をディスプレイ装置２に表示し、更に選択により印刷装置５を用いて一覧表を印刷する（Ｓ１１０）。図７は、一覧表の一例を示したものである。
【００８９】
管理属性の変更に伴う動作について説明する。
【００９０】
当初の検討のときは、管理属性として管理ランクをランクＡとランクＢに区分する様に定義したが、その後の検討の結果、管理ランクをランクＡとランクＢとランクＣに区分する様に新たに再定義する場合もある。このような管理属性の変更に伴い、たとえば、管理対象ＩＤ「ＡＡ‐０００３」の管理ランクが「ランクＢ」から「ランクＣ」に変更されるものとする。
【００９１】
まず、作業者は、管理属性入力テーブルをディスプレイ装置２に表示し、自動的に付番される属性ＩＤ「００００３」に対応して「ランクＣ」と入力する。
【００９２】
そして、作業者は、線分定義データをディスプレイ装置２に表示し、表示された線分定義データの中から「ランクＣ」に対応する線分定義を選択する。管理ランク「ランクＣ」に対応して属性ＩＤ「００００３」、および、例えば、「オレンジ」「３ｐｔ」「破線」の線分定義が選択されたとする。線分定義データテーブルには、属性ＩＤ「００００３」「オレンジ」「３ｐｔ」「破線」が追記される。
【００９３】
管理対象ＩＤ「ＡＡ‐０００３」の変更前の管理ランクは「ランクＢ」であるので、作業者がオブジェクトテーブルを表示すると、オブジェクトＩＤ「ＯＢＪ０００３」に対応して属性ＩＤ「００００２」が記載されている。作業者が属性ＩＤ「００００２」の記載を属性ＩＤ「００００３」に変更すると、オブジェクトＩＤ「ＯＢＪ０００３」のオブジェクトの線分定義が変更されてディスプレイ装置２に表示される。
【００９４】
一方、変更前の関連付けテーブルにおいて、管理対象ＩＤ「ＡＡ‐０００３」に対応して属性ＩＤ「００００２」が記載されているが、オブジェクトテーブルの変更に伴い、自動的に、属性ＩＤ「００００２」の記載は属性ＩＤ「００００３」に変更される。つまり、管理対象ＩＤ「ＡＡ‐０００３」と管理ランク「ランクＣ」とが関連付けされる。また、管理対象ＩＤ「ＡＡ‐０００３」のシンボル近傍に表示される添字は、「ランクＢ」から「ランクＣ」に変更される。
【００９５】
これにより、管理属性変更後の色分図がディスプレイ装置２に表示される。変更後の一覧表も自動的に作成される。このように、管理属性の変更にも容易に対応できる。
【００９６】
〜効果〜
本実施形態の効果を従来の手作業と比較しながら説明する。
【００９７】
従来の手作業の一例として、管理ランク毎に色を定義し、紙図面上の管理対象（点検箇所）のルートに重ねて管理ランクに対応する色の蛍光ペンを塗り、管理対象と管理ランクを関連付け、いわゆる色分図を作成するとともに、表計算ソフトなどを用いて、管理対象と管理ランクとの一覧表を作成する方法がある。
【００９８】
しかし、このような手作業は作業効率が悪く、また作業結果である色分図も紙図面となり保存し管理する手間もかかるという課題があった。また、一覧表を作成する際は、作業者が、紙図面である色分図を目視しながら管理対象および管理ランクを再度抽出し関連付けをし、表計算ソフトに手入力する方法が一般的であり、抽出漏れや、関連付けに係る作業効率が悪く、手入力の際にヒューマンエラー発生の可能性があるという課題があった。
【００９９】
本実施形態の図面管理システムを用いれば、ディスプレイ装置２に表示された管理対象に重ねてオブジェクトを描画することにより、容易に色分図を作成でき、色分図作成の作業効率を向上できる。また、図面管理システムは、従来の手作業の工程をディスプレイ装置２上で再現するものであり、従来の手作業に慣れた作業者にとっても、容易に操作できる。作成された色分図は記憶装置３に記憶されるので、管理に係る作業効率を向上できる。
【０１００】
本実施形態の図面管理システムは、色分図作成の過程において、オブジェクト描画の軌跡が、シンボルの座標位置近傍を通過すると、第１属性情報と第２属性情報とを関連付けをする。上述の動作説明では、オブジェクトＩＤ「ＯＢＪ０００１」のオブジェクトを描画すると、管理対象ＩＤ「ＡＡ‐０００１」と管理ランク「ランクＡ」とが自動的に関連付けされる。これにより、関連付けに係る作業効率を向上できる。また、自動的に関連付けされるため、ヒューマンエラー発生を防止できる。
【０１０１】
言葉を変えて、この関連付けの作業効率向上、ヒューマンエラー発生防止に係る効果を更に説明する。従来の手作業においても、本実施形態の図面管理システムによる作業においても、作業者が配管図面を見ながら、管理対象を特定し、管理対象と管理属性を関連付けしながら、色分けをしていく手順は共通する。しかし、従来の手作業は、色分図を作成した後に、再度、管理対象および管理ランクを抽出し関連付けをし、表計算ソフトに手入力するのに対し、本実施形態の図面管理システムは、色分図作成時点において、一覧表作成まで自動で行っている。すなわち、本実施形態の図面管理システムは、操作性に優れた入力端末として機能する。これにより、関連付けの作業効率向上、ヒューマンエラー発生防止に係る効果が得られる。
【０１０２】
一方、特許文献1の従来技術に係る図面管理システムは、色分図を作成する構成を有しておらず、色分図作成はできないが、関連付けに係る作業及び一覧表作成はできないわけではない。すなわち、管理対象のシンボル（デジタルタグに相当）は第１属性情報を付加しており、作業者は属性情報入力テーブルを用いて、各シンボルごとの属性情報に対応する管理属性をそれぞれ追記していけばよい。具体的には、管理対象ＩＤ「ＡＡ‐０００１」のシンボルに付加されている属性情報に管理ランク「ランクＡ」を追記し、管理対象ＩＤ「ＡＡ‐０００２」のシンボルに付加されている属性情報に管理ランク「ランクＢ」を追記する。しかし、このような作業は作業効率が悪く、さらに色分図を参照しないと視覚的な確認ができないので、ヒューマンエラーが発生しやすいという課題が生じる。特許文献1の従来技術に係る図面管理システムでは、属性情報入力テーブルが入力手段であるのに対し、本実施形態の図面管理システムではオブジェクト描画が入力手段となっている。本実施形態の図面管理システムを用いれば、作業者は色分図を参照し視覚的に確認にながら効率よくヒューマンエラーのない作業ができる。つまり、特許文献1の従来技術に係る図面管理システムと比較しても、関連付けの作業効率向上、ヒューマンエラー発生防止に係る効果が得られる。
【０１０３】
更に、本実施形態の図面管理システムは、一覧表の作成、表示、印刷を容易に行うことができる。また、管理属性の変更にも容易に対応できる。
【０１０４】
＜その他の実施形態＞
〜第２実施形態〜
第１実施形態に係る図面管理システムの記憶装置３は、第１属性情報を記憶する第２記憶部３２と第２属性情報を記憶する第４記憶部３４とを有し、管理属性は第２属性情報として第４記憶部３４に記憶されるとともに、第１属性情報に追記され第２記憶部３２に記憶されるが、管理属性が第２属性情報として第４記憶部３４のみに記憶されてもよい。すなわち、必ずしも管理属性が第１属性情報に追記される必要はない。
【０１０５】
第１実施形態の動作説明で示した管理属性入力テーブル（図３）、線分定義データテーブル（図４）、関連付けテーブル（図５）、オブジェクトテーブル（図６）には属性ＩＤが記載されており、属性ＩＤを介して管理対象と管理属性を関連付けすることができる。
【０１０６】
その他の構成は、第１実施形態の構成と同様であり、第１実施形態の同様の効果が得られる。
【０１０７】
〜第３実施形態〜
第１実施形態に係る図面管理システムの記憶装置３は、第１属性情報を記憶する第２記憶部３２と第２属性情報を記憶する第４記憶部３４とを有するが、第１属性情報を記憶する第２記憶部３２のみ有するものでも良い。
【０１０８】
管理属性は第１属性情報に追記され第２記憶部３２に記憶される。追記後の第１属性情報において、管理対象と管理属性を関連付けすることができる。
【０１０９】
第４記憶部３４がない場合、第２属性情報のうち特にオブジェクトの記憶ができない。しかし、管理対象と管理属性の関連付けの一覧表を作成することが重要であり、色分図の保存管理が必要ない場合もある。その様な場合は、第４記憶部３４がなくとも、関連付けの作業効率向上、ヒューマンエラー発生防止に係る効果が得られる。さらに、第４記憶部３４がないので、記憶装置３の容量を減らし、システム構成の簡素化を図ることができる。
【０１１０】
〜第４実施形態〜
第１実施形態に係る図面管理システムは、印刷装置５と印刷機能４７を備えているが、必ずしも必須ではない。
【０１１１】
管理対象と管理属性の関連付けの一覧表を作成することが重要であり、色分図や一覧表の印刷が必要ない場合もある。一覧表がディスプレイ装置２に表示されれば、作業者は管理対象と管理属性の関連を確認できる。
【０１１２】
すなわち、印刷装置５と印刷機能４７とがなくとも、関連付けの作業効率向上、ヒューマンエラー発生防止に係る効果が得られる。さらに、印刷装置５と印刷機能４７とがないので、システム構成の簡素化を図ることができる。
【０１１３】
〜第５実施形態〜
第１実施形態に係る図面管理システムの制御装置４の関連付け機能４５を有し、関連付け機能４５は、入力装置１を用いて描画されたオブジェクトの軌跡がシンボルの座標位置またはその近傍を通過すると、第１属性情報（管理対象のシンボルを構成する）と第２属性情報（管理属性を含む）とを関連付けるが、関連付けに係る制御機能は関連付け機能４５に限られない。
【０１１４】
本実施形態の関連付け機能４５Ａ（図示せず）は、描画されたオブジェクトが選択され、対応するシンボルが選択されると、第１属性情報と第２属性情報とを関連付ける。
【０１１５】
例えば、作業者は、管理ランク「ランクＡ」に対応する線分定義によりオブジェクトＩＤ「ＯＢＪ０００１」のオブジェクトを描画し、このオブジェクトを入力装置１により選択した後、管理対象ＩＤ「ＡＡ‐０００１」のシンボルを選択する。シンボルを選択した後、オブジェクトを選択しても良い。これにより、管理対象ＩＤ「ＡＡ‐０００１」と管理ランク「ランクＡ」とが関連付けされる。
【０１１６】
第１実施形態に係る図面管理システムの動作にくらべ、本実施形態の図面管理システムの動作は、作業者によるシンボル選択及びオブジェクト選択の手順を要し、作業性の点で劣っている。しかし、従来の手作業に比べれば、関連付けの作業効率向上、ヒューマンエラー発生防止に係る効果が得られる。
【符号の説明】
【０１１７】
１  入力装置
２  ディスプレイ装置
３  記憶装置
４  制御装置
５  印刷装置
３１  第１記憶部
３２  第２記憶部
３３  第３記憶部
３４  第４記憶部
４１  入力機能
４２  表示機能
４２ａ  イメージ表示機能
４２ｂ  シンボル表示機能
４２ｃ  オブジェクト表示機能
４２ｄ  添字表示機能
４２ｅ  一覧表表示機能
４３  記憶・読込機能
４４  線分定義選択機能
４５  関連付け機能
４６  一覧表作成機能
４７  印刷機能
【図１】
2011145965.tif 000003
【図２】
2011145965.tif 000004
【図３】
2011145965.tif 000005
【図４】
2011145965.tif 000006
【図５】
2011145965.tif 000007
【図６】
2011145965.tif 000008
【図７】
2011145965.tif 000009